(57)【要約】【課題】  本発明は操作者が静電気除去シートに触れたことを検出して給液可能とすることを課題とする。【解決手段】  燃料供給システム１０では、ノズル掛けから給液ノズルが取り外されたことが検出され、かつ、静電気除去検出スイッチにより操作者が静電気除去シートに接触したことが検出されたことを条件に給液作業監視装置２０へ給液要求信号を出力する。そのため、給液許可信号が出力されているにも拘らず、燃料供給機１６より燃料の供給ができないといったことを防止でき、従来より行われているＰＯＳ装置２１と燃料供給機１６との信号のやり取りは何ら変わるところがないため、従来のＰＯＳ装置２１の構成を変更することなく実施することができる。【選択図】  図２
2006027659.tif 000002
【特許請求の範囲】
【請求項１】
燃料を供給される被燃料供給体の供給口に挿入されるノズルと、
該ノズルの不使用時に前記ノズルが収納されるノズル収納部と、
前記ノズルが前記ノズル収納部より取り外されたか否かを検出するノズル収納検出手段と、
前記燃料を前記ノズルを介して前記被燃料供給体へ供給する燃料供給手段と、
前記ノズル収納検出手段により前記ノズルが取り外されたことが検出された場合には前記ノズルより燃料の開始をすべく供給要求信号を出力する供給要求信号出力手段と、
前記供給許可信号の入力により前記供給手段を駆動して前記ノズルより前記被燃料供給体への燃料の供給を可能とする制御手段と、
前記ノズルより供給された燃料の供給量を計測し、当該供給量を出力する供給量計測手段と、
を有する燃料供給機と、
前記燃料供給機と通信回線を介して接続され、前記燃料供給機により供給された燃料に関する情報を前記燃料供給機より取得し集計管理を行なうと共に、前記燃料供給機の供給要求信号出力手段より供給要求信号が入力された場合には前記ノズルよりの燃料の供給を許可すべく供給許可信号を出力するＰＯＳ装置と、
からなる燃料供給システムにおいて、
前記燃料供給機に設けられ、燃料供給を行う操作者に帯電する静電気を除去する静電気除去手段と、
前記静電気除去手段に前記操作者が接触したことを検出する静電気除去検出手段と、
を有し、
前記供給要求信号出力手段は、前記ノズル収納検出手段により前記ノズルが取り外されたことが検出され、かつ、前記静電気除去検出手段により前記操作者が前記静電気除去手段に接触したことが検出されたことを条件に前記供給要求信号を出力することを特徴とする燃料供給システム。
【請求項２】
燃料を供給される被燃料供給体の供給口に挿入されるノズルと、
該ノズルの不使用時に前記ノズルが収納されるノズル収納部と、
前記ノズルが前記ノズル収納部より取り外されたか否かを検出するノズル収納検出手段と、
前記燃料を前記ノズルを介して前記被燃料供給体へ供給する燃料供給手段と、
前記ノズル収納検出手段により前記ノズルが取り外されたことが検出された場合には前記ノズルより燃料の開始をすべく供給要求信号を出力する供給要求信号出力手段と、
前記供給許可信号の入力により前記供給手段を駆動して前記ノズルより前記被燃料供給体への燃料の供給を可能とする制御手段と、
前記ノズルより供給された燃料の供給量を計測し、当該供給量を出力する供給量計測手段と、
を有する燃料供給機と、
前記燃料供給機と通信回線を介して接続され、前記燃料供給機により供給された燃料に関する情報を前記燃料供給機より取得し集計管理を行なうと共に、前記燃料供給機の供給要求信号出力手段より供給要求信号が入力された場合には前記ノズルよりの燃料の供給を許可すべく供給許可信号を出力するＰＯＳ装置と、
前記燃料供給機と前記ＰＯＳ装置との間に設けられ、前記燃料供給機の稼動状況を表示する表示手段と、前記燃料供給機に対して燃料の供給許可を行う際に操作される供給許可スイッチと、該供給許可スイッチが操作された際に前記ＰＯＳ装置より供給許可信号が入力されたことを条件に、前記ノズルから前記被燃料供給体への燃料の供給を許可すべく供給許可信号を出力する第２の供給許可手段と、を有する供給作業監視装置と、
からなる燃料供給システムにおいて、
前記燃料供給機は、
燃料供給を行う操作者が接触することにより操作者に帯電する静電気を除去する静電気除去手段と、
前記静電気除去手段に操作者が接触したことを検出し、前記供給作業監視装置に対して静電気除去信号を出力する静電気除去検出手段と、
を有し、
前記供給要求信号出力手段は、前記ノズル収納検出手段により前記ノズルが取り外されたことが検出された際に供給要求信号を出力し、
前記供給作業監視装置は、
前記燃料供給機より静電気除去信号が出力された場合、前記表示手段に静電気が除去されたことを表示し、また、前記供給許可スイッチが操作された場合、前記燃料供給機より供給要求信号が出力され、前記静電気除去手段より静電気除去信号が出力され、かつ、前記ＰＯＳ装置より供給許可信号が出力されたことを条件に、前記ノズルよりの燃料の供給をすべく前記燃料供給機に対して供給許可信号を出力することを特徴とする燃料供給システム。
【発明の詳細な説明】
【技術分野】
【０００１】
本発明は燃料供給システムに係り、特に燃料の供給を行う操作者が静電気に帯電した状態で操作した場合に燃料の供給を禁止し、操作者が静電気の除去操作を行った場合に燃料の供給が許可されるよう構成された燃料供給システムに関する。
【背景技術】
【０００２】
例えば、自動車の燃料タンクにガソリン等の燃料を供給する燃料供給システムでは、セルフサービス方式の給液機（計量機と設定器を含む燃料供給機）を設置する傾向にある。このようなセルフサービス方式化された給液所においては、運転者自身が給液操作を行う操作者であるため、給液エリアに自動車を停車させた後、運転者が運転席から降りて給液機のノズル掛けからノズルを外して燃料タンクの給液口に差し込む。そして、給液機から給液所の事務所に設置されたＰＯＳ装置に対して給液(供給)要求信号が出力されると、事務所の係員が監視カメラのモニタをチェックして当該給液機に対して給液(供給)許可信号を出力する。これで、給液要求信号を出力した給液機のポンプが起動して当該ノズルによる給液が行われる（例えば、特許文献１参照）。
【０００３】
給液機のノズルを給液口に挿入操作する前に、燃料タンクの給液口を閉塞するキャップを外すことになるが、操作者が静電気を帯電していると、給液口からキャップを外した際に給液口から噴出したベーパ（油蒸気）に引火する可能性があるので、操作者は操作前に静電気を除去する必要がある。特にセルフサービス方式の場合、運転者が運転席から降りる際に衣服が運転席に擦られて静電気を帯びる可能性が高いので、運転者は静電気の除去に注意しなければならない。
【０００４】
そのため、本出願人は、給液機に設けられた静電気除去シートに運転者が触れた場合に、設定器による給液情報の入力操作が行うことができ、静電気除去シートに運転者が触れない場合には給液情報の入力操作が受け付けず給液が許可されないように構成された燃料供給システムを提案しました（例えば、特許文献２参照）。
【特許文献１】特開２０００−１６８９００号公報
【特許文献２】特願２００２−３６８３６８号
【発明の開示】
【発明が解決しようとする課題】
【０００５】
上記特許文献１に記載された燃料供給システムでは、ＰＯＳ装置と給液機との間でやり取りされる信号が(1)燃料供給要求信号(2)燃料供給許可信号(3)燃料供給データ信号の三種類であるため、特許文献１に記載された燃料供給システムに特許文献２に記載された静電気除去シートを組み合わせた場合、下記のような問題が生じるおそれがある。
【０００６】
すなわち、従来の上記特許文献１の技術に上記特許文献２の技術を単に組み合わせた場合、給液機からノズルが取られた際に、給液要求信号が給液機よりＰＯＳ装置に出力され、ＰＯＳ装置はこの信号の入力により給液許可信号を出力する構成となっている。そのため、給液を行う操作者（運転者）が静電気除去シートを触らずにノズルをノズル掛けから外した場合には、静電気除去シートを触っていないにも拘らずＰＯＳ装置から供給許可信号が出力されることになる。
【０００７】
ところが、上記特許文献２に記載された燃料供給システムにあっては、静電気除去シートを触っていないために給液機のポンプが起動されず、燃料供給ができないことになる。一方、ＰＯＳ装置側においては、給液許可信号を当該給液機に対して出力したにも拘らず、給液機においては、設定器による入力操作が行えないので燃料の供給は行えないこととなる。そのため、ＰＯＳ装置を操作する係員にとっては、何故燃料供給が行えないのか分からないという状況になってしまう。
【０００８】
そこで、本発明は上記課題を解決した燃料供給システムを提供することを目的とする。
【課題を解決するための手段】
【０００９】
請求項１記載の発明は、燃料を供給される被燃料供給体の供給口に挿入されるノズルと、該ノズルの不使用時に前記ノズルが収納されるノズル収納部と、前記ノズルが前記ノズル収納部より取り外されたか否かを検出するノズル収納検出手段と、前記燃料を前記ノズルを介して前記被燃料供給体へ供給する燃料供給手段と、前記ノズル収納検出手段により前記ノズルが取り外されたことが検出された場合には前記ノズルより燃料の開始をすべく供給要求信号を出力する供給要求信号出力手段と、前記供給許可信号の入力により前記供給手段を駆動して前記ノズルより前記被燃料供給体への燃料の供給を可能とする制御手段と、前記ノズルより供給された燃料の供給量を計測し、当該供給量を出力する供給量計測手段と、を有する燃料供給機と、
前記燃料供給機と通信回線を介して接続され、前記燃料供給機により供給された燃料に関する情報を前記燃料供給機より取得し集計管理を行なうと共に、前記燃料供給機の供給要求信号出力手段より供給要求信号が入力された場合には前記ノズルよりの燃料の供給を許可すべく供給許可信号を出力するＰＯＳ装置と、
からなる燃料供給システムにおいて、
前記燃料供給機に設けられ、燃料供給を行う操作者に帯電する静電気を除去する静電気除去手段と、前記静電気除去手段に前記操作者が接触したことを検出する静電気除去検出手段と、を有し、前記供給要求信号出力手段は、前記ノズル収納検出手段により前記ノズルが取り外されたことが検出され、かつ、前記静電気除去検出手段により前記操作者が前記静電気除去手段に接触したことが検出されたことを条件に前記供給要求信号を出力することを特徴とするものである。
【００１０】
請求項２記載の発明は、燃料を供給される被燃料供給体の供給口に挿入されるノズルと、該ノズルの不使用時に前記ノズルが収納されるノズル収納部と、前記ノズルが前記ノズル収納部より取り外されたか否かを検出するノズル収納検出手段と、前記燃料を前記ノズルを介して前記被燃料供給体へ供給する燃料供給手段と、前記ノズル収納検出手段により前記ノズルが取り外されたことが検出された場合には前記ノズルより燃料の開始をすべく供給要求信号を出力する供給要求信号出力手段と、前記供給許可信号の入力により前記供給手段を駆動して前記ノズルより前記被燃料供給体への燃料の供給を可能とする制御手段と、前記ノズルより供給された燃料の供給量を計測し、当該供給量を出力する供給量計測手段と、を有する燃料供給機と、
前記燃料供給機と通信回線を介して接続され、前記燃料供給機により供給された燃料に関する情報を前記燃料供給機より取得し集計管理を行なうと共に、前記燃料供給機の供給要求信号出力手段より供給要求信号が入力された場合には前記ノズルよりの燃料の供給を許可すべく供給許可信号を出力するＰＯＳ装置と、
前記燃料供給機と前記ＰＯＳ装置との間に設けられ、前記燃料供給機の稼動状況を表示する表示手段と、前記燃料供給機に対して燃料の供給許可を行う際に操作される供給許可スイッチと、該供給許可スイッチが操作された際に前記ＰＯＳ装置より供給許可信号が入力されたことを条件に、前記ノズルから前記被燃料供給体への燃料の供給を許可すべく供給許可信号を出力する第２の供給許可手段と、を有する供給作業監視装置と、
からなる燃料供給システムにおいて、
前記燃料供給機は、燃料供給を行う操作者が接触することにより操作者に帯電する静電気を除去する静電気除去手段と、前記静電気除去手段に操作者が接触したことを検出し、前記供給作業監視装置に対して静電気除去信号を出力する静電気除去検出手段と、を有し、前記供給要求信号出力手段は、前記ノズル収納検出手段により前記ノズルが取り外されたことが検出された際に供給要求信号を出力し、前記供給作業監視装置は、前記燃料供給機より静電気除去信号が出力された場合、前記表示手段に静電気が除去されたことを表示し、また、前記供給許可スイッチが操作された場合、前記燃料供給機より供給要求信号が出力され、前記静電気除去手段より静電気除去信号が出力され、かつ、前記ＰＯＳ装置より供給許可信号が出力されたことを条件に、前記ノズルよりの燃料の供給をすべく前記燃料供給機に対して供給許可信号を出力することを特徴とするものである。
【発明の効果】
【００１１】
請求項１記載の発明によれば、ノズル収納検出手段によりノズルが取り外されたことが検出され、かつ、静電気除去検出手段により操作者が静電気除去手段に接触したことが検出されたことを条件に供給要求信号を出力するため、供給許可信号が出力されているにも拘らず、燃料供給機より燃料の供給ができないといったことを防止でき、従来より行われているＰＯＳ装置と燃料供給機との信号のやり取りは何ら変わるところがないため、従来のＰＯＳ装置の構成を変更することなく実施することができる。
【００１２】
請求項２記載の発明によれば、供給作業監視装置に燃料供給機より静電気除去信号が出力された場合、表示手段に静電気が除去されたことを表示するため、燃料供給機より燃料の供給ができない原因として静電気除去がなされていないことによるものであるのか否かをＰＯＳ装置及び供給作業監視装置の係員が容易に把握することができる。また、従来より行われているＰＯＳ装置と燃料供給機との信号のやり取りは何ら変わるところがないため、従来のＰＯＳ装置の構成を変更することなく実施することができる。
【発明を実施するための最良の形態】
【００１３】
以下、図面と共に本発明の一実施例について説明する。
【実施例１】
【００１４】
図１は本発明になる燃料供給システムの一実施例を示す構成図である。尚、本実施例では、油液を供給する場合について説明するため、以下、燃料を供給することを「給液」という。
図１に示されるように、燃料供給システム１０は、給液エリア１２に設置された釣り銭機１４と、複数の燃料供給機１６（１６１〜１６ｎ）と、事務所１８内に設置された給液（供給）作業監視装置２０と、給液作業監視装置２０に接続されたＰＯＳ装置２１とを有する。給液作業監視装置２０は、タッチパネル式のモニタ２０ａを有する。釣り銭機１４は、例えば、給液作業終了後に入金額と給液金額との差額（釣り銭）を支払うための装置である。
【００１５】
給液作業監視装置２０の記憶装置２２には、各燃料供給機１６（１６１〜１６ｎ）を管理するための制御プログラムと、タッチパネル式のモニタ２０ａの表示面に各燃料供給機１６（１６１〜１６ｎ）の動作状態を表示する制御プログラム等が格納されている。
【００１６】
燃料供給機１６は、セルフサービス給液方式の計量機２４と、計量機２４に搭載された設定器２６と、料金をその場で精算するための自動支払機（入金機）２８とを有する。また、釣り銭機１４及び複数の燃料供給機１６（１６１〜１６ｎ）は、通信回線（例えば、ＳＳ−ＬＡＮ）３０を介して給液作業監視装置２０と接続されている。
【００１７】
また、給液エリア１２には、燃料供給機１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１８】
図２は燃料供給機１６の正面図である。
図２に示されるように、燃料供給機１６は、装置本体４２と、装置本体４２の上部に配置された操作パネル４４と、操作パネル４４の下方に配置された前面パネル４６と、装置本体４２の両側に起立する支柱４７，４８と、支柱４７，４８の上部間に横架されたホース支持部５０とを有する。
【００１９】
装置本体４２の内部には、後述する各給液系統の電磁弁と、給液ポンプと、流量計などの各機器が設けられている。
【００２０】
操作パネル４４には、静電気除去シート（静電気除去手段）５４と、静電気除去シート５４の上方に配置された流量表示器５６と、カード挿入部５８と、設定器２６と、設定器２６の上方に配置されて人検知センサ６２とが設けられている。静電気除去シート５４は、導電材により形成されたプレートで、アース線６３が接続されている。
【００２１】
尚、静電気除去シート５４の表面には、例えば、手のひらマークと「給液操作の前に触れて下さい」といったメッセージが印刷されている。また、人検知センサ６２としては、光センサあるいはイメージセンサなどを用いたものであり、給液操作を行う操作者が設定器２６の前に立ったことを検知してその検知信号を出力する。
【００２２】
図３は静電気除去シート５４及び静電気除去検出スイッチ６４を示す縦断面図である。
図３に示されるように、静電気除去シート５４の内側には、操作者が押圧するとオンに切り替わる静電気除去検出スイッチ（静電気除去検出手段）６４が取り付けられている。この静電気除去検出スイッチ６４は、操作者が静電気除去シート５４に手を当てて押圧操作すると、その検出信号を出力する。なお、本実施例においては操作者が静電気除去シート５４に触れたことを静電気除去検出スイッチ（静電気除去検出手段）６４により検出するようにしているが、操作者が静電気除去シートに触れたことを検出するための構成はこれに限るものではなく、例えば、上述の人検知センサ６２と同様に光センサあるいはイメージセンサなどを用い、給液操作を行う操作者が静電気除去シート５４に触れたことをセンサにより検出した際に検出信号を出力するようにしても良い。
【００２３】
再び、図２に戻って説明する。カード挿入部５８は、給液所が発行したプリペイドカード、あるいはクレジットカードを挿入されると、カードに記憶された情報を読み取る。設定器２６は、タッチパネル式のモニタからなり、モニタに表示された設定入力画面に応じて油種（軽油、レギュラーガソリン、ハイオクガソリン）を選択、給液量の入力操作を行える。
【００２４】
前面パネル４６には、給液ノズル６６〜６８を掛止するノズル掛け（ノズル収納部）６９〜７１が設けられている。給液ノズル６６〜６８は、夫々異なる油種を給液する給液ホース７２〜７４が連通接続されている。
【００２５】
図４は燃料供給装置１０の各機器の構成を示すブロック図である。
図４に示されるように、燃料供給機１６の制御回路（制御手段）８０には、各給液経路に設けられた電磁弁８２、給液ポンプ８４、流量計８６、流量表示器５６、人検知センサ６２、ノズル掛け６９〜７１に設けられたノズルスイッチ（ノズル収納検出手段）８８、静電気除去検出スイッチ６４、設定器２６、カード挿入部５８に設けられたカードＲ／Ｗ９０、音声報知器９２とが接続されている。
【００２６】
制御回路８０は、人検知センサ６２からの検出信号により音声報知器９２から操作者に対して静電気除去を行うように音声メッセージを出力させる。また、静電気除去検出スイッチ６４は、操作者が静電気除去シート５４を押圧することによりオンに切り替わり、その検出信号を制御回路８０へ出力する。
【００２７】
ここで、燃料供給機１６の制御回路８０及びＰＯＳ装置２１が実行する制御処理について説明する。
図５は燃料供給機１６の制御回路８０が実行する実施例１の制御処理を説明するためのフローチャートである。
【００２８】
図５に示されるように、制御回路８０は、Ｓ１１で人検知センサ６２が設定器２６の前に操作者（運転者）が居るかどうかをチェックする。Ｓ１１において、人検知センサ６２が操作者の存在を検出し、その検出信号を出力すると、Ｓ１２に進み、音声報知器９２から例えば、「設定操作する前に静電気除去シートに触って下さい」といった音声メッセージによる静電気除去指示を行う。
【００２９】
続いて、Ｓ１３に進み、静電気除去検出スイッチ６４から検出信号が出力されたかどうかを確認する。操作者が静電気除去シート５４を押圧していないときは、静電気除去検出スイッチ６４がオフであるので、Ｓ１４に進み、ノズル掛け６９〜７１から給液ノズル６６〜６８の何れかが外されたかどうかを確認する。Ｓ１４において、ノズル掛け６９〜７１に設けられたノズルスイッチ８８の何れかがオフに切り換わった場合、操作者が給液ノズル６６〜６８の何れかをノズル掛け６９〜７１から持ち上げたものと判断する。そして、Ｓ１５に進み、音声報知器９２から音声メッセージによる静電気除去指示を再度行う。
【００３０】
また、Ｓ１４において、ノズル掛け６９〜７１に設けられたノズルスイッチ８８が何れもオンのままであるときは、各給液ノズル６６〜６８がノズル掛け６９〜７１に掛けられたままであるので、上記Ｓ１３に戻る。従って、操作者が人検知センサ６２によって検知された後、何もしない場合は、上記Ｓ１３，Ｓ１４の処理を繰り返す待機状態となる。
【００３１】
また、Ｓ１５の後は、Ｓ１６に進み、静電気除去検出スイッチ６４から検出信号が出力されたかどうかを確認する。Ｓ１６において、静電気除去検出スイッチ６４がオフのときは、操作者が静電気除去シート５４を押圧していないものと判断し、上記Ｓ１３に戻る。
【００３２】
上記Ｓ１３あるいはＳ１６において、静電気除去検出スイッチ６４から検出信号が出力されたときは、操作者が静電気除去シート５４を押圧したものと判断してＳ１７に進む。Ｓ１７では、ノズル掛け６９〜７１から給液ノズル６６〜６８の何れかが外されたかどうかを確認する。Ｓ１７において、ノズル掛け６９〜７１に設けられたノズルスイッチ８８が何れもオンのままであるときは、各給液ノズル６６〜６８がノズル掛け６９〜７１に掛けられたままであるので、上記Ｓ１８に移行する。Ｓ１８では、予め設定された所定時間が経過したかどうかを確認する。Ｓ１８において、所定時間が経過するまでは上記Ｓ１７に戻り、Ｓ１７，Ｓ１８の処理を繰り返す。また、Ｓ１８において、所定時間が経過してもＳ１７で給液ノズル６６〜６８の何れかがノズル掛けから外されないときは、上記Ｓ１３に戻り、Ｓ１３以降の処理を繰り返す。
【００３３】
また、上記Ｓ１７でノズル掛け６９〜７１から給液ノズル６６〜６８の何れかが外されたときには、Ｓ１９に進み、給液要求信号を給液作業監視装置２０へ出力する。このように、供給要求信号出力手段としてのＳ１９では、ノズル収納検出手段としてのノズルスイッチ８８により給液ノズル６６〜６８の何れかが取り外されたことが検出され、かつ、静電気除去検出手段として静電気除去検出スイッチ６４により操作者が静電気除去手段としての静電気除去シート５４に接触したことが検出されたことを条件に供給要求信号を出力する。これにより、操作者が静電気除去シート５４に触れることなく給液ノズル６６〜６８をノズル掛け６９〜７１から外しても給液要求信号が出力されないため、事務所の係員が給液許可を出すことがなく、従来のように給液許可信号を出力したにも拘わらず、操作者が静電気除去シート５４に触れないために給液が行えないといった状況が生じない。
【００３４】
次のＳ２０では、給液作業監視装置２０から給液許可信号が入力されたかどうかを確認する。Ｓ２０において、給液作業監視装置２０から給液許可信号が入力されると、Ｓ２１に進み、給液ポンプ８４を起動させる。これにより、操作者は、給液ノズル６６〜６８の何れかを自動車の給液口（供給口）に挿入した後、ノズルレバー（図示せず）を回動操作して主弁を開弁させることにより、給液ポンプ８４によって送液された燃料を自動車の燃料タンク（被燃料供給体）に給液することが可能になる。
【００３５】
次のＳ２２では、給液処理を行う。すなわち、流量計８６により燃料タンクに供給された供給量（給液量）を計測し、流量計８６により計測された積算流量を流量表示器８６に表示させる。続いて、Ｓ２３では、給液を行ったノズルがノズル掛けに戻されたかどうかをチェックする。すなわち、給液操作のためオフに切り換わったノズルスイッチ８８がオンになったかどうかをチェックする。例えば、満タン給液を行う場合、操作者は、給液中の給液ノズル６６〜６８が燃料タンクの液面上昇を検知して自動閉弁機構が作動して主弁を閉弁させた時点で給液が停止し、且つ流量表示器８６のカウントアップが停止して数値たことを確認することができる。
【００３６】
このように満タン給液が終了すると、操作者は、ノズルレバーを閉弁位置に戻し、給液を行った給液ノズル６６〜６８を給液口から抜き出してノズル掛け６９〜７１に戻す。
【００３７】
Ｓ２３で給液を行ったノズルがノズル掛けに戻された場合には、給液が終了したものと判断してＳ２４に進み、給液情報（給液した油種、給液量、計量機番号など）を給液作業監視装置２０に出力する。次いでＳ２５に進み、ポンプ駆動信号の出力を停止して給液ポンプ８４を停止させる。
【００３８】
図６はＰＯＳ装置２１が実行する制御処理を説明するためのフローチャートである。
図６に示されるように、ＰＯＳ装置２１は、Ｓ３１において、給液作業監視装置２０を介して燃料供給機１６から給液要求信号が入力されたかどうかをチェックする。Ｓ３１で給液要求信号（上記Ｓ１９参照）が入力されないときは、Ｓ３２に進み、給液作業監視装置２０を介して燃料供給機１６から給液情報（上記Ｓ２４参照）が入力されたかどうかをチェックする。そして、Ｓ３２で給液情報が入力されないときは、上記Ｓ３１の処理に戻り、Ｓ３１，Ｓ３２の処理を繰り返す待機状態となる。
【００３９】
上記Ｓ３１において、燃料供給機１６から給液要求信号が入力されたときは、Ｓ３３に進み、給液所の係員が監視モニタ３６に表示された当該燃料供給機１６の様子を確認して許可釦（図示せず）をオンに操作することにより、要求のあった燃料供給機１６に対して給液許可信号を出力する（上記Ｓ２０の処理に対応する）。
【００４０】
また、上記Ｓ３２において、燃料供給機１６から給液情報が入力されたときは、Ｓ３４に進み、給液が終了した当該燃料供給機１６の番号と共に給液された液種、給液量を記憶する。
【００４１】
このように、燃料供給システム１０では、ノズル掛け６９〜７１のノズルスイッチ８８により給液ノズル６６〜６８が取り外されたことが検出され、かつ、静電気除去検出スイッチ６４により操作者が静電気除去シート５４に接触したことが検出されたことを条件に給液作業監視装置２０へ給液（供給）要求信号を出力するため、給液（供給）許可信号が出力されているにも拘らず、燃料供給機１６より燃料の供給ができないといったことを防止でき、従来より行われているＰＯＳ装置２１と燃料供給機１６との信号のやり取りは何ら変わるところがないため、従来のＰＯＳ装置２１の構成を変更することなく実施することができる。従って、ＰＯＳ装置２１及び燃料供給機１６を有する既存の設備に給液作業監視装置２０を増設することにより静電気除去が行われた場合のみ給液許可要求信号を出力する構成とすることが可能になる。
【実施例２】
【００４２】
図７は燃料供給機１６の制御回路８０が実行する実施例２の制御処理を説明するためのフローチャートである。
図７に示されるように、制御回路８０は、Ｓ４１で人検知センサ６２が設定器２６の前に操作者（運転者）が居るかどうかをチェックする。Ｓ４１において、人検知センサ６２が操作者の存在を検出し、その検出信号を出力すると、Ｓ４２に進み、音声報知器９２から例えば、「設定操作する前に静電気除去シートに触って下さい」といった音声メッセージによる静電気除去指示を行うと共に、静電気除去待ち信号を給液作業監視装置２０へ出力する。
【００４３】
この後のＳ４３〜Ｓ４６の処理は、前述した実施例１のＳ１３〜Ｓ１６の場合と同様であるので説明を省略する。
【００４４】
Ｓ４６において、静電気除去検出スイッチ６４から検出信号が出力されたときは、操作者が静電気除去シート５４を押圧したものと判断してＳ４７に進む。Ｓ４７では、給液作業監視装置２０へ静電気除去信号を出力する。この後は、Ｓ４９に進む。
【００４５】
また、上記Ｓ４３において、静電気除去検出スイッチ６４から検出信号が出力されたときは、操作者が静電気除去シート５４を押圧したものと判断してＳ４８に進む。Ｓ４８では、給液作業監視装置２０へ静電気除去信号を出力して、Ｓ４９に進む。
【００４６】
Ｓ４９では、ノズル掛け６９〜７１から給液ノズル６６〜６８の何れかが外されたかどうかを確認する。このＳ４９において、ノズル掛け６９〜７１に設けられたノズルスイッチ８８が何れもオンのままであるときは、各給液ノズル６６〜６８がノズル掛け６９〜７１に掛けられたままであるので、上記Ｓ５０に移行する。
【００４７】
Ｓ５０では、予め設定された所定時間が経過したかどうかを確認する。Ｓ５０において、所定時間が経過するまでは上記Ｓ４９に戻り、Ｓ４９，Ｓ５０の処理を繰り返す。また、Ｓ５０において、所定時間が経過してもＳ４９で給液ノズル６６〜６８の何れかがノズル掛けから外されないときは、Ｓ４３で操作者が静電気除去シート５４を押圧していても、時間の経過により操作者が静電気に帯電している可能性があるので、Ｓ５１に進み、給液作業監視装置２０へ静電気除去未完了信号を出力する。そして、上記Ｓ４３に戻り、再度Ｓ４３以降の処理を実行する。
【００４８】
また、上記Ｓ４９でノズル掛け６９〜７１から給液ノズル６６〜６８の何れかが外されたときには、Ｓ５２〜Ｓ５８の処理を実行する。尚、Ｓ５２〜Ｓ５８の処理は、前述した図５に示すＳ１９〜Ｓ２５と同様な処理であるので、その説明は省略する。
【００４９】
また、実施例２においても、ＰＯＳ装置２１によるＰＯＳ処理は前述した図６に示すＳ３１〜Ｓ３４と同様な処理であるので、その説明は省略する。
【００５０】
図８は給液作業監視装置２０が実行する処理を説明するためのフローチャートである。
図８に示されるように、給液作業監視装置２０は、Ｓ６１において、静電気除去待ち信号が入力されたかどうかをチェックする。Ｓ６１において、静電気除去待ち信号が入力されないときは、Ｓ６２に進み、燃料供給機１６から静電気除去信号が入力されたかどうかをチェックする。Ｓ６２で静電気除去信号が入力されないときは、Ｓ６３に進み、燃料供給機１６から静電気除去未完了信号が入力されたかどうかをチェックする。
【００５１】
Ｓ６３で静電気除去未完了信号が入力されないときは、Ｓ６４に進み、給液要求信号が燃料供給機１６から入力されたかどうかをチェックする。Ｓ６４で、給液要求信号が入力されないときは、Ｓ６５に進み、給液許可指示が行われたかどうかをチェックする。Ｓ６５において、給液許可指示がないときは、上記Ｓ６１に戻り、Ｓ６１〜Ｓ６５の処理を繰り返す待機状態となる。
【００５２】
この待機状態のときは、モニタ２０ａには、図９（Ａ）に示す待機中画面１００が表示されている。また、待機中画面１００では、４台の燃料供給機１６の両側に給液ポイントが設けられており、全ての給液ポイントが待機中であることを表示している。
【００５３】
上記Ｓ６１において、静電気除去待ち信号が入力（上記Ｓ４２の処理による）されたときは、Ｓ６６に進み、当該燃料供給機１６が静電気除去待ちであることをモニタ２０ａに表示させ、Ｓ６７で記憶装置２２に当該燃料供給機１６が静電気除去待ちであることを記憶させる。このように、静電気除去待ち信号が入力された場合、図９（Ｂ）に示されるように、静電気除去待ち信号を出力した２番給液ポイントの表示領域１０２が例えば、緑色に表示されると共に当該給液ポイントの表示領域１０２に「静電待」を表示する。これにより、事務所の係員は、２番給液ポイントが静電気除去待ち状態であることを容易に確認することができる。
【００５４】
また、上記Ｓ６２において、操作者が静電気除去シート５４を押圧して当該燃料供給機１６から静電気除去信号が入力（上記Ｓ４７またはＳ４８の処理による）されたときは、Ｓ６８で静電気除去をモニタ２０ａに表示させ、Ｓ６９で記憶装置２２に静電気除去を記憶させる。このように、静電気除去信号が入力された場合、図９（Ｃ）に示されるように、静電気除去信号を出力した２番給液ポイントの表示領域１０２に「静電済」を表示する。これにより、事務所の係員は、２番給液ポイントが静電気除去済み状態であることを容易に確認することができる。
【００５５】
また、上記Ｓ６３において、操作者が静電気除去シート５４を押圧した後に所定時間経過しても給液ノズルをノズル掛けから外さなかった場合は、当該燃料供給機１６から静電気除去未完了信号が入力（上記Ｓ５１の処理による）されるため、Ｓ７０で静電気除去待ちをモニタ２０ａに表示させ、Ｓ７１で記憶装置２２に記憶された静電気除去記憶を抹消する。このように、静電気除去未完了信号が入力された場合、図９（Ｂ）に示されるように、静電気除去未完了信号を出力した２番給液ポイントの表示領域１０２に「静電待」を表示する。これにより、事務所の係員は、２番給液ポイントが静電気除去待ち状態に戻ったことを容易に確認することができる。
【００５６】
また、上記Ｓ６４において、給液要求信号が入力（上記Ｓ５２の処理による）されたときは、Ｓ７２に進み、当該燃料供給機１６が給液許可待ちであることをモニタ２０ａに表示させる。このように、給液要求信号が入力された場合、図９（Ｄ）に示されるように、給液要求信号を出力した２番給液ポイントの表示領域１０２に「給液待」を表示する。これにより、事務所の係員は、２番給液ポイントが給液許可待ち状態であることを容易に確認することができる。
【００５７】
そして、事務所の係員が、監視モニタ３６を確認して当該給液ポイントの表示領域１０２に触れると、表示領域１０２を選択したことを示すための太線枠１０６を表示する。
【００５８】
また、上記Ｓ６５において、係員がモニタ２０ａに表示された許可釦１０４をオンに操作すると、給液許可が指示されたものと判断し、Ｓ７３に進み、当該給液ポイントの静電気除去済みが記憶装置２２に記憶されているかどうかをチェックする。Ｓ７３において、当該給液ポイントの静電気除去済みが記憶されている場合には、Ｓ７４に進み、給液許可信号を当該燃料供給機１６に出力する（上記Ｓ５３に対応する処理）。そして、Ｓ７５に進み、当該燃料供給機１６が給液中であることをモニタ２０ａに表示させる。このように、給液許可信号が出力された場合、図９（Ｅ）に示されるように、給液許可信号を出力した２番給液ポイントの表示領域１０２に「給液中」を示す給液中マーク１０８を表示する。これにより、事務所の係員は、２番給液ポイントに給液許可信号が出力されて給液中状態になったことを容易に確認することができる。
【００５９】
また、上記Ｓ７３において、当該給液ポイントの静電気除去済みが記憶されている場合には、Ｓ７１で静電気除去記憶が抹消されているので、Ｓ７４，Ｓ７５の処理を実行せず、静電気除去操作をやり直すことになる。
【００６０】
このように、給液作業監視装置２０に燃料供給機１６より静電気除去信号が出力された場合、表示手段としてのモニタ２０ａに静電気が除去されたことを表示（図９（Ｃ）参照）するため、燃料供給機１６より燃料の供給ができない原因として静電気除去がなされていないことによるものであるのか否かを係員が容易に把握することができる。また、従来より行われているＰＯＳ装置２１と燃料供給機１６との信号のやり取りは何ら変わるところがないため、従来のＰＯＳ装置２１の構成を変更することなく実施することができる。従って、ＰＯＳ装置２１及び燃料供給機１６を有する既存の設備に給液作業監視装置２０を増設することにより静電気除去が行われた場合のみ給液許可要求信号を出力する構成とすることが可能になる。
【実施例３】
【００６１】
図１０は燃料供給システムの実施例３を示す構成図である。
図１０に示されるように、実施例３の燃料供給システム１１０は、給液所の係員が給液操作を行うフルサービス方式であり、図１の示す構成から作業監視装置２０、監視カメラ３２１〜３２ｎ、カメラ分割ユニット３４、監視モニタ３６を無くして、ＰＯＳ装置２１と燃料供給機１６とからなる構成である。
【００６２】
そのため、実施例３では、給液所の係員が静電気除去シート５４に触れてから給液操作を行うことになる。そして、燃料供給機１６の制御回路８０は、前述した実施例１と同様に図５に示す制御処理を実行しており、Ｓ１３またはＳ１６で静電気除去検出スイッチ６４がオンになったことを確認し、Ｓ１７において、ノズル掛け６９〜７１から給液ノズル６６〜６８の何れかが外されたときには、Ｓ１９に進み、給液要求信号をＰＯＳ装置２１へ出力する。
【００６３】
ＰＯＳ装置２１では、図６に示す制御処理を実行しており、Ｓ３１において、燃料供給機１６から給液要求信号が入力されたときは、Ｓ３３に進み、当該燃料供給機１６が使用されていない場合には、給液要求のあった燃料供給機１６に対して給液許可信号を出力する。
【００６４】
このように、フルサービス方式の燃料供給システム１１０でも給液所の係員が静電気除去シート５４に触れたことを条件に給液要求信号がＰＯＳ装置２１に出力されるため、給液（供給）許可信号が出力されているにも拘らず、燃料供給機１６より燃料の供給ができないといったことを防止でき、従来より行われているＰＯＳ装置２１と燃料供給機１６との信号のやり取りは何ら変わるところがないため、従来のＰＯＳ装置２１の構成を変更することなく実施することができる。
【産業上の利用可能性】
【００６５】
尚、上記実施例では、ガソリン等の油液を自動車の燃料タンクに給液する場合について説明したが、これに限らず、ガソリン以外の燃料を供給する燃料供給システムにも本発明を適用することができるのは勿論、自動車の燃料タンク以外のタンクまたは容器に燃料を供給する燃料供給システムにも本発明を適用することができるのは勿論である。
【図面の簡単な説明】
【００６６】
【図１】本発明になる燃料供給システムの一実施例を示す構成図である。
【図２】燃料供給機１６の正面図である。
【図３】静電気除去シート５４及び静電気除去検出スイッチ６４を示す縦断面図である。
【図４】燃料供給装置１０の各機器の構成を示すブロック図である。
【図５】燃料供給機１６の制御回路８０が実行する実施例１の制御処理を説明するためのフローチャートである。
【図６】ＰＯＳ装置２１が実行する制御処理を説明するためのフローチャートである。
【図７】燃料供給機１６の制御回路８０が実行する実施例２の制御処理を説明するためのフローチャートである。
【図８】給液作業監視装置２０が実行する処理を説明するためのフローチャートである。
【図９】給液作業監視装置２０のモニタの表示例を示す図である。
【図１０】燃料供給システムの実施例３を示す構成図である。
【符号の説明】
【００６７】
１０，１１０  燃料供給システム
１２  給液エリア
１６  燃料供給機
１８  事務所
２０  給液作業監視装置
２０ａ  モニタ
２１  ＰＯＳ装置
２２  記憶装置
２４  計量機
２６  設定器
２８  自動支払機
３０  通信回線
３２１〜３２ｎ  監視カメラ
３４  カメラ分割ユニット
３６  監視モニタ
５４  静電気除去シート
５６  流量表示器
６２  人検知センサ
６４  静電気除去検出スイッチ
６６〜６８  給液ノズル
６９〜７１  ノズル掛け
７２〜７４  給液ホース
８０  制御回路
８４  給液ポンプ
８６  流量計
８８  ノズルスイッチ
９２  音声報知器
１００  待機中画面
１０２  表示領域
１０４  許可釦
１０６  太線枠
１０８  給液中マーク
【図１】
2006027659.tif 000003
【図２】
2006027659.tif 000004
【図３】
2006027659.tif 000005
【図４】
2006027659.tif 000006
【図５】
2006027659.tif 000007
【図６】
2006027659.tif 000008
【図７】
2006027659.tif 000009
【図８】
2006027659.tif 000010
【図９】
2006027659.tif 000011
【図１０】
2006027659.tif 000012